(57)【要約】【課題】監視区域の内外に異常が発生したら、直ちにこの異常発生個所を特定できた上で、外部からの侵入者の場合にこれを威嚇し、異常発生を自動的に監視区域の監視者に通報し、さらに異常発生の情況を映像や音で確認できるセキュリティシステムを提供する。【解決手段】監視区域の内外に設置される各種センサーと、これらの各種センサーからの信号を受信し異常か正常かを判断する制御部と、この制御部が異常と判断した場合に動作される各種威嚇手段と、前記制御部によって動作させられる映像及び又は音による各種情報収集手段と、前記制御部が異常と判断した場合に該異常発生個所と現場の情況を音声メッセージ及び又は映像で監視側送受信手段へ通報する各種通信手段とで構成し、少なくとも前記各種情報収集手段を前記監視側送受信手段を介して遠隔操作するように構成すると共に、前記制御部にはさらにサーバーと少なくとも前記各種センサーの動作状況を確認する動作表示部を接続する。【選択図】　　　　　図２
2004070564.tif 000002
【特許請求の範囲】
【請求項１】
監視区域の内外に設置される各種センサーと、これらの各種センサーからの信号を受信し異常か正常かを判断する制御部と、この制御部が異常と判断した場合に動作される各種威嚇手段と、前記制御部によって動作させられる映像及び又は音による各種情報収集手段と、前記制御部が異常と判断した場合に該異常発生個所と現場の情況を音声メッセージ及び又は映像で監視側送受信手段へ通報する各種通信手段とから成り、少なくとも前記各種情報収集手段を前記監視側送受信手段を介して遠隔操作するように構成すると共に、前記制御部にはさらにサーバーと少なくとも前記各種センサーの動作状況を確認する動作表示部が接続されていることを特徴とする、セキュリティシステム。
【請求項２】
前記各種センサーは、パッシブセンサー、マグネットセンサー、赤外線センサー、マットスイッチ、ガラス破壊センサー、倒れセンサー、振動センサー、熱感センサー、災感センサー、煙感センサー、及びガス漏れセンサーの全部或は一部から成ることを特徴とする、請求項１に記載のセキュリティシステム。
【請求項３】
前記各種威嚇手段は、威嚇ライト、威嚇ブザー、スピーカー、サイレントホーン、照明手段、及び警報灯の全部或は一部から成ることを特徴とする、請求項１に記載のセキュリティシステム。
【請求項４】
前記各種情報収集手段は、監視カメラ、集音マイク、及びピンマイクの全部或は一部から成ることを特徴とする、請求項１に記載のセキュリティシステム。
【請求項５】
前記監視側送受信手段を複数とし、被監視側送受信手段との間に着信が成立しない時には、順次次の監視側送受信手段へ送信が切り替わるように構成されていることを特徴とする、請求項１に記載のセキュリティシステム。
【請求項６】
前記監視側送受信手段がテレビ電話機能を有するものの場合には、異常発生の音声メッセージと共に監視カメラで撮影した現場の映像を送信できるように構成したことを特徴とする、請求項１に記載のセキュリティシステム。
【請求項７】
請求項１に記載のセキュリティシステムは、監視区域内に居る人が異常事態となった時、或は異常事態を発見したときに押すコールスイッチをさらに含んでいることを特徴とする、セキュリティシステム。
【発明の詳細な説明】
【０００１】
【発明の属する技術分野】
この発明は、建造物に対する外部からの侵入や火災の発生によって被害が発生するのを防止したり、異常事態の発生を知らせるセキュリティシステムに関する。
【０００２】
【従来の技術】
従来、この種のセキュリティシステムの多くは、監視区域内に設置した各種センサーが異常を検知すると、その異常の具体的内容を確認することなく、警備会社や管理会社、或は消防署や介護支援センター等へ通信手段を用いて通報し、警備員や消防士或は介護員等が現場へ急行し確認するシステムとなっている。
【０００３】
【発明が解決しようとする課題】
上記した従来公知のセキュリティシステムは、異常発生個所及びその情況をセキュリティシステムが確認できないことから、警備員や消防士、或は介護員等が現場へ急行するまで情況がつかめない上に、その間にタイムロスが発生し、侵入者に逃げられてしまったり、火災による被害が拡大してしまったり、手遅れになってしまうという問題があった。
【０００４】
また、侵入者に対し侵入を躊躇させる手段が不充分であったために、むざむざと侵入を許し被害が発生してしまうといった問題もあった。
【０００５】
さらに、上記した従来公知のセキュリティシステムは、警備会社や管理会社或は介護支援センサー等にセキュリティ管理業務を委託するために、毎月そのための費用が発生し、高コストになるといった問題もあった。
【０００６】
この発明の目的は、監視区域の内外に異常が発生したら、直ちにこの異常発生個所を特定できた上で、外部からの侵入者の場合にこれを威嚇し、異常発生を自動的に監視区域の監視者に通報し、さらに異常発生の情況を映像や音で確認できるセキュリティシステムを提供せんとするにある。
【０００７】
【課題を解決するための手段】
上述した目的を達成するためにこの発明は、監視区域の内外に設置される各種センサーと、これらの各種センサーからの信号を受信し異常か正常かを判断する制御部と、この制御部が異常と判断した場合に動作される各種威嚇手段と、前記制御部によって動作させられる映像及び又は音による各種情報収集手段と、前記制御部が異常と判断した場合に該異常発生個所と現場の情況を音声メッセージ及び又は映像で監視側送受信手段へ通報する各種通信手段とから成り、少なくとも前記各種情報収集手段を前記監視側送受信手段を介して遠隔操作するように構成すると共に、前記制御部にはさらにサーバーと少なくとも前記各種センサーの動作状況を確認する動作表示部が接続されていることを特徴とする。
【０００８】
その際に前記各種センサーは、パッシブセンサー、マグネットセンサー、赤外線センサー、マットスイッチ、ガラス破壊センサー、倒れセンサー、振動センサー、熱感センサー、災感センサー、煙感センサー、及びガス漏れセンサーの全部或は一部から構成することができる。
【０００９】
さらに、前記各種威嚇手段は、威嚇ライト、威嚇ブザー、スピーカー、サイレントホーン、照明手段、及び警報灯の全部或は一部から構成することができる。
【００１０】
さらに、前記各種情報収集手段は、監視カメラ、集音マイク、及びピンマイクの全部或は一部から構成することができる。
【００１１】
さらに、この発明は、前記監視側送受信手段を複数とし、被監視側送受信手段との間に着信が成立しない時には、順次次の監視側送受信手段へ送信が切り替わるように構成されていることを特徴とする。
【００１２】
さらに、この発明は、前記監視側送受信手段がテレビ電話機能を有するものの場合には、異常発生の音声メッセージと共に監視カメラで撮影した現場の映像を送信できるように構成したことを特徴とする。
【００１３】
そして、この発明に係るセキュリティシステムは、監視区域内に居る人が異常事態となった時、或は異常事態を発見したときに押すコールスイッチをさらに含んでいることを特徴とする。
【００１４】
【発明の実施の形態】
図面はこの発明の一実施の形態を示し、以下説明の便宜上、監視すべき建造物と自動車をそれぞれ指示記号Ａ、Ｂとし、その敷地を指示記号Ｃとする。また監視すべき建造物Ａや自動車Ｂを監視区域とし、建造物Ａや自動車Ｂが置かれている敷地内を準監視区域とも称する。図面において、図１はこの発明に係るセキュリティシステムの全体のブロック図を示し、図２はこの発明に係るセキュリティシステムの構成図を示し、図３はこの発明に係るセキュリティシステムの具体的な実施例を示し、図４はこの発明に係るセキュリティシステムのフローチャートの一例を示す。
【００１５】
図１において、指示記号１はＣＰＵから成る制御部であり、後述する各種センサー２、各種威嚇手段３、各種情報収集手段４、操作表示部６、動作表示部７等、及び被監視側送受信手段８を制御し、通常、建造物Ａ内のような監視区域内に設置される。
【００１６】
この制御部１は、ラダーシーケンス制御によって制御され、建造物Ａ及び自動車Ｂ周辺の準監視区域と、建造物Ａや自動車Ｂそのものの監視区域に設置した後述する各種センサー２からの異常信号を無線、或は有線で受信し、条件判断を行った上で、異常と判定した場合には、各種威嚇手段３に動作信号を送って動作させ、さらに各種情報収集手段４を動作させた上で、異常発生を音声メッセージ信号及び映像信号で被監視側送受信手段８より各種通信手段９を介して監視側送受信手段１０へ自動的に送信する。この制御部１はまた、各種通信手段９を介して監視側送受信手段１０から送られてくる遠隔操作信号により、後述する既存の照明手段１１を点灯及び消灯させることができる上に、各種情報収集手段４をも動作させる機能を有している。尚、この照明手段は威嚇手段３にもなり得る。
【００１７】
この制御部１にはさらに、図示してないマグネットリレー、ソリッドタイマー、ソリッドステートタイマー、及び各種スイッチが設置されると共に、システム稼動状況をランプ表示する例えば操作表示部６と、システム動作状況を表示する、例えばタッチパネルディスプレー装置を有する動作表示部７が附設されており、この動作表示部７には各種センサー２の異常検知状況が表示記録される。
【００１８】
各種センサー２は、敷地Ｃ内の建造物Ａ及び自動車Ｂ周辺の準監視区域に設置されるものとしては、とくに図２と図３に示したように、赤外線センサー１２、玄関マット１３の下に設置されるマットスイッチ１４等があり、建造物Ａ自体の監視区域に設置されるものとしては、建造物Ａの出入口の戸や扉１５、及び窓１６等に設置されるマグネットセンサー１７、電気錠１８、及びガラス破壊センサー１９があり、廊下や部屋２０の壁や天井に設置されるパッシブセンサー２１や赤外線センサー２２、金庫２３や絵２４等に設置される破壊センサーや振動センサー２５、さらに、図示してない火を使う台所や厨房に設置される熱感センサー２６、災感センサー２７、煙感センサー２８、ガス漏検知センサー２９があり、例えば寝たきりの要介護者や建造物内に居る人が使用するコールスイッチ３０等がある。さらに、自動車Ｂ内に設置されるものとして、倒れセンサー３１がある。
【００１９】
次に、各種威嚇手段３としては、主として建造物の外へ設置される威嚇ライト３２、威嚇ブザー３３、警報灯３４、サイレントホーン３５、及びスピーカー３６等のものがあり、各種情報収集手段４としては、建造物Ａの内外に設置される監視カメラ３７、集音マイク３８、及びピンマイク３９等のものがある。尚、図３は図２に示した各種機器の各種センサー２と各種威嚇手段３、及び各種情報収集手段４の一部を例示してある。サーバー５は監視カメラ３７が撮影した映像を記憶するものであり、操作表示部６は、各種センサー２や各種威嚇手段３等の稼働状況を例えばランプ表示するものであり、動作表示部７は例えばタッチパネルディスプレーから成り、各種センサー２の動作状況を記録し表示するものである。被監視側送受信手段８は、一般電話回線から成る各種通信手段９を用いる固定電話機４５、ＩＳＤＮ回線から成る各種通信手段９を用いるテレビ電話機４６、無線から成る各種通信手段９を用いる携帯電話機４７、サーバー５等の有線無線通信器とそのモデムが含まれ、監視側送受信手段１０には、単数又は複数の固定電話機４８，４８…、テレビ電話機５０、モデム５１、一般テレビ、及びパソコンモニター５２、サーバー、ＶＴＲ等の画像及び送信メッセージの記憶装置５３、携帯電話機４９、携帯電話機用のモデム５４、モバイルコンピュータ５５から成る。尚、携帯電話機４９の中には携帯テレビ電話機が含まれる。また、被監視側送受信手段８を構成する各種機器の全部或は一部は制御部１の中に組み込むことができる。
【００２０】
各種通信手段９としては、携帯電話機、携帯テレビ電話機、無線用インターネット通信モデムを使用した機器、並びにＵＨＦ、マイクロ波等を用いたトランジスター用の無線通信手段と、ＩＳＤＮ、ＡＤＳＬ、及びアナログ等の有線通信手段がある。
【００２１】
次に、動作について図４のチャートを用いて説明する。まず、建造物Ａから退出する時に該建造物Ａの戸締りをし出入口の戸や扉１５の鍵（電気錠１８）を施錠して該出入口に設置した例えばカードリーダースイッチから成るスイッチ手段４０によってセキュリティシステム全体をＯＮさせて建造物Ａと敷地Ｃ内を監視態勢に置く。勿論、このスイッチ手段４０は、建造物Ａ内部に設置しても良く、建造物Ａの出入口と該建造物Ａ内の両方に設置して選択的に使用できるようにしても良い。このカードリーダースイッチによるスイッチ手段４０は、他にもキースイッチ、テンキースイッチとすることができ、さらにこれらの各種スイッチは音声出力付きであっても良い。このスイッチ手段４０はループチェック機能を有し、スイッチ手段４０がＯＮされると、戸締りが完全になされているか、各種センサーは異常がないか等のループチェックを行い、建造物Ａの内外を監視態勢に置く。建造物Ａ内に人が居て監視態勢に置く場合には、玄関の電気錠１８は内側から閉めることによってループが完了し、建造物Ａ内は監視態勢となる。ここにおいてループチェックをしてループが確立していないと、再度施錠を確かめ、場合によっては操作表示部６を見て作動ランプの不点灯などにより不備個所を発見し、動作状況にしてから再びスイッチ手段４０をＯＮさせてセキュリティシステム全体のループチェックを行う。監視態勢に置くものが自動車Ｂの場合には、該自動車Ｂ内の例えばダッシュボード上に倒れセンサー３１を置いてドアの鍵をロックする。
【００２２】
このように建造物Ａや自動車Ｂ等の監視区域と例えば敷地Ｃ内の準監視区域が監視態勢に置かれている状態において、建造物Ａ、自動車Ｂや敷地Ｃ等の準監視区域や監視区域へ不審者が近づくと、該建造物Ａや自動車Ｂの周りの準監視区域に設置した、赤外線センサー１２、出入口の玄関マット１３に設置したマットスイッチ１４、場合によってはパッシブセンサー等の各種センサー２が作動し、異常信号を制御部１へ送る。すると、制御部１は、どの各種センサー２が動作したかを自動検知すると共に、それが異常かどうかを判別し、異常と判別した場合には、動作した当該センサーの近くの威嚇ライト３２、スピーカー３６、威嚇ブザー３３、サイレントホーン３５、及び警報灯等３４の全部或は一部から成る各種威嚇手段３を起動させて光と音と音声によって侵入者を威嚇し、各種情報収集手段４の監視カメラ３７を動作させる。各種威嚇手段３のスピーカー３６は、例えば「コラー」とか、「貴方は監視区域に入っています。速やかに退去してください」とか、「只今、セキュリティシステム稼動中です。ご注意ください」などの言葉を発する。尚、この各種威嚇手段３の動作は、タイマーにより所定時間経過した後ＯＦＦされるか、制御部１の正常復帰ボタン（図示せず）を押すと正常復帰するように構成してある。同時に制御部１が各種センサー２の特定のものが異常を検知したことを、予め定めた音声メッセージをもって被監視者側送受信手段８、っ各種通信手段９を介して予め定められた監視側送受信手段１０の複数の固定電話機４８，４８…へ自動ダイヤルをして連絡をする。同時に或は選択的に各種情報収集手段４の監視カメラ３７の映像と予め定められた音声メッセージを被監視者側送受信手段８や各種通信手段９を介して建造物Ａの監視者の監視側送受信手段１０の携帯電話機４９へ自動ダイヤルで連絡する。この自動ダイヤルはＩＳＤＮ回線を通じてテレビ電話機５０に対しても行うことができる。携帯電話機４９がテレビ電話機能を有しない場合には、音声メッセージだけになるが、ＩＳＤＮ回線へ接続することにより、現場の映像も受信することができる。さらに異常内容は、動作表示部７に表示され、自己保持回路により正常復帰ボタンを押すまで動作表示部７に表示され、自己保持される。尚、監視カメラ３７は、監視側送受信手段１０より各種通信手段９を介して遠隔操作させることができ、監視者は望む方向へ監視カメラ３７を向けることができる。すると監視者は監視カメラ３７に映った映像を見たり、或は集音マイク３８やピンマイク３９を通じての現場での音を聞いて、各種センサー２の異常検知が本当に不審者によるものか等の状況を判断し、警察へ連絡するなどの対応策を取ることができるものである。
【００２３】
上述したように予め定めた複数の連絡先の監視側送受信手段１０の固定電話機４８，４８…への通報は、複数の固定電話機４８，４８…へ全て連絡する方法と、複数の固定電話機４８，４８…へ優先番号を付けて順次連絡して行き、受信が確認された段階で終了させる着信止めの二方法がある。通報は、同じ内容の音声メッセージを例えば３０秒繰り返した後、他の通報先へ通報先を変えるようにする。着信が確認されても、監視者が音声メッセージの内容を理解しない場合を考慮し、内容を理解したことを制御部１へ知らせる操作方法を付け加えると良い。
【００２４】
次に、侵入者が威嚇手段３による威嚇を無視して強引に建造物Ａ内へ侵入を図ろうとする場合、或は各種センサー２を巧みに避けて監視区域の建造物Ａ内や建造物Ａの部屋２０内へ侵入しようとしたり、或は侵入した場合には、図２と図３に示したように、該建造物Ａの出入口や窓に設けたマグネットセンサー１７、電気錠１８、ガラス破壊センサー１９が異常を検知し、異常信号を制御部１へ送る。すると制御部１はこの異常検知信号を判別することによって侵入者が建造物Ａ内部や部屋２０内へ侵入したことを検知し、さらに、絵画４２や金庫４３等の貴重品に被害が及ぶ場合には、振動センサー２５からの異常発生の信号を検知し、建造物Ａ内や部屋２０内に設置した、威嚇ライト３２、威嚇ブザー３３、サイレントホーン３５、スピーカー３６、及び既設の照明手段１１の点灯等による各種威嚇手段３を動作させて侵入者を威嚇すると共に、各種センサー２のどのものが異常を検知したという情報と共に、集音マイク３８やピンマイク３９及び監視カメラ３７による音や映像情報と共に上述したように監視者へ通報する。
【００２５】
監視者はこれによってどこに異常があったかを知ることができ、監視カメラ３７からの映像或は集音マイク３８やピンマイク３９からの音で異常発生個所と現場の状況を知ることができ、必要に応じて警察へ電話するなり、現場へかけつけるなりして対策を講ずることができる。
【００２６】
さらに、建造物Ａの廊下や部屋２０内での異常は、壁や天井に設置したパッシブセンサー２１や赤外線センサー２２、或は部屋２０の出入口に取り付けたマグネットセンサー１７等を通じて検知できる外、金庫４３や置物や壁に掛けた絵４２等の異常は、振動センサー２５以外に、破壊センサー、傾斜センサー、倒れセンサーを用いて検知することができよう。そして、これらの異常の検知は制御部１へ伝えられ、上述したようにして監視者に伝えられる。
【００２７】
建造物Ａ内への侵入、或は建造物Ａの部屋２０内への侵入、或は金庫４３や置物、絵画４２等に対する盗難に対しては、各種センサー２が異常を検知した段階で、各種威嚇手段３を用いて威嚇することができる上に、上述したように、威嚇ライト３２や警報灯３４の点灯、威嚇ブザー３３やサイレントホーン３５による音の発生は、外部からもこれを確認でき、通行人からの協力が得られるものである。
【００２８】
次に、図３には具体的に図示してないが、台所や調理場等における火事やガス漏れの発生は、図２に示した熱感センサー２６、災感センサー２７、煙感センサー２８、或はガス漏れ検知センサー２９等により検知され、制御部１へ異常信号が送信されることによって、上述したように監視者や予め定めた送信先へ異常が送信され、現場の確認と共に現場へ駆けつけたり、消防署やガス会社へ通報がなされるなどの必要な対策が講じられることになる。
【００２９】
このセキュリティシステムはまた、介護の現場でも利用することができ、図３には図示してないが、要介護者に緊急事態が生じた場合には、図２に示したように、該要介護者がコールスイッチ３０を押すことにより、制御部１を介してコールサインが上述した監視者や消防署、病院、介護センターへ送信され、監視カメラによる現場の確認と共に必要な対策が講じられることになる。このコールスイッチ３０は、監視区域内に居る人間が異常を発見した場合にも用いることができる。
【００３０】
さらに、最近増加している自動車の盗難にあっては、自動車Ｂが動かされた際に倒れる倒れセンサー３１の異常検知信号が制御部１へ送られることにより、上述したようにしてこの異常検知信号が監視者や予め定めた通報先へ送られ、必要な対策が講じられることになる。
【００３１】
尚、上述した各種センサー２からの異常検知信号や監視カメラ３７の映像送信、或は制御部１からの威嚇手段３や監視カメラ３７等に対する動作信号等の送受信は、必要に応じて有線、或は無線が適宜選ばれる。また、セキュリティシステム稼動中においては、解除されるまで上記制御部１は、各種センサー２やコールスイッチ３０による異常を知らせる信号に対して繰り返しコントロールし、各種威嚇手段３や各種情報収集手段４を動作させ、監視側へ異常発生のメッセージを映像や音と共に送信するものである。
【００３２】
【発明の効果】
この発明は以上のように構成したので、次のような効果を奏し得る。
【００３３】
防犯を図るべき建造物の内外を各種センサーによって監視でき、各種センサーが異常を検知した場合には、制御部によって異常か正常かを判断し、異常と判断した場合には、各種威嚇手段によって侵入者を威嚇して侵入を予防し、異常の情況を監視カメラや集音マイク、ピンマイク等の各種情報収集手段を用いて情報収集して、異常発生のメッセージと共に現場の映像や音を監視者の携帯テレビ電話機や予め定めた複数の通報先へ各種通信手段を通じて送信することによって、監視者が現場の情況を直ちに知ることができ、タイムロスが発生することなく現場へ急行するなり、警察へ連絡するなりして対策を講ずることができるものである上に、自己管理であるから警備会社や管理会社へ支払う毎月の経費を節約することができるものである。
【００３４】
さらに、防災についても、各種センサーの異常検知信号を制御部が判別し、異常と判断した場合には、上述したものと同じようにして監視者へ通報がなされ、監視者が現場へ急行するなり、消防署へ通報するなどして被害が拡大しないように素早い対策を講ずることができ、経費を節約することができるものである。
【００３５】
さらに、コールスイッチを押すことによって要介護者や建造物内に居る人が、様態の急変や不法侵入者の発見、さらには火災並びにガス漏れ等の発見をして、必要な通報先へ通報して必要な処理を迅速にとることが出来るものである。
【図面の簡単な説明】
【図１】この発明に係るセキュリティシステムを概略的に示すブロック図である。
【図２】この発明に係るセキュリティシステムを詳細に示すブロック図である。
【図３】この発明に係るセキュリティシステムの具体的な実施例を示す説明図である。
【図４】この発明に係るセキュリティシステムのフローチャートである。
【符号の説明】
Ａ　建造物
Ｂ　自動車
Ｃ　敷地
１　制御部
２　各種センサー
３　各種威嚇手段
４　各種情報収集手段
８　被監視側送受信手段
９　各種通信手段
１０　監視側送受信手段
１１　照明手段
１２　赤外線センサー
１４　マットスイッチ
１７　マグネットスイッチ
１８　電気錠
１９　破壊センサー
２１　パッシブセンサー
２２　赤外線センサー
２５　振動センサー
２６　熱感センサー
２７　災感センサー
２８　煙感センサー
２９　ガス漏検知センサー
３０　コールスイッチ
３１　倒れセンサー
３２　威嚇ライト
３３　威嚇ブザー
３４　警報灯
３５　サイレントホーン
３６　スピーカー
３７　監視カメラ
３８　集音マイク
３９　ピンマイク
４０　スイッチ手段
４８　固定電話機
４９　携帯電話機
５０　テレビ電話機
【図１】
2004070564.tif 000003
【図２】
2004070564.tif 000004
【図３】
2004070564.tif 000005
【図４】
2004070564.tif 000006